(57)【要約】【課題】  組立てる部品の数が少なく、また、組立が容易なため、購入者が自分で容易に且つしっかりと組立てることができるのみならず、また、製造コストが安く済む組立式収納ボックスを提供する。【解決手段】  底板部材と、該底板部材の両側部に起伏自在に取付けられる一対の側板部材と、該底板部材の後端部に起伏自在に取付けられる背板部材と、該一対の側板部材及び該背板部材が起立せしめられた状態で、該背板部材に相対向するように該一対の側板部材の前端部に嵌着自在に取付けられる正面板部材と、を含む合成樹脂製引き出し型収納容器を複数個積上げて構成される収納容器積上げ体と、前記収納容器積上げ体の開口上部を閉塞せしめるための上蓋部材と、を含むようにした。【選択図】  図１
0003127793.tif 000002
【実用新案登録請求の範囲】
【請求項１】
底板部材と、
該底板部材の両側部に起伏自在に取付けられる一対の側板部材と、
該底板部材の後端部に起伏自在に取付けられる背板部材と、
該一対の側板部材及び該背板部材が起立せしめられた状態で、該背板部材に相対向するように該一対の側板部材の前端部に嵌着自在に取付けられる正面板部材と、
を含む合成樹脂製引き出し型収納容器を複数個積上げて構成される収納容器積上げ体と、
前記収納容器積上げ体の開口上部を閉塞せしめるための上蓋部材と、
を含むことを特徴とする組立式収納ボックス。
【請求項２】
前記一対の側板部材の後端部と前記背板部材の両側部とが、取付け補助部材を介して取付けられることで、前記一対の側板部材及び背板部材とが起立状態とされることを特徴とする請求項１記載の組立式収納ボックス。
【考案の詳細な説明】
【技術分野】
【０００１】
本考案は、衣服類や日用雑貨など種々の物を収納する収納ボックスに係り、特には、組立式とした組立式収納ボックスに関する。
【背景技術】
【０００２】
従来より、特に家庭や店頭・店内等で衣服類や日用品を収納するのに用いられる収納ボックスとして、プラスチックなどの合成樹脂製の引き出し型収納容器を複数段積み重ねたものが広く知られている。
【０００３】
この従来の収納ボックスは、比較的製造が容易であるためコストが安く、したがって商品の値段も比較的安価なため誰でも購入しやすいものである。
【０００４】
一方、例えば、周縁に接合端部を有する矩形状底板部材と、該底板部材の四方周縁部に接合される前後板部材と左右側板部材とからなる合成樹脂製組立式ボックスにおいて、上記底板部材の下面の四方隅角部に該底板部材を支えるキャスター装置と積層状態の下方ボックス側板部材内面に係合させる位置決め部材とが選択的に着脱自在な取付部を形成していることを特徴とする組立式ボックス（請求項１、特許文献１）が提案されている。
【０００５】
しかしながら、例えば特許文献１に示されるような従来の分解可能な構造の収納ボックスでは、以下のようなデメリットがある。
（イ）全ての部材を分解可能としてあるため、組立てる部品の数が多く、購入者が自分で組立てるのは容易なことではない。特に、組立て作業が苦手な人や不慣れな人、年少者、女性、高齢者などにとってはより大変な作業となる。
（ロ）全ての部材を分解可能としてあるため、しっかり組立てないと、バラバラになってしまう可能性がある。したがって、組立て作業が苦手な人や不慣れな人、年少者、女性、高齢者などにとってはあまり便利とは言えない。
（ハ）また、部品点数が多ければそれだけ製造コストがかかってしまい、低廉な市場価格で販売するのが難しくなる。
【特許文献１】特開平７−１４８０３４号公報
【考案の開示】
【考案が解決しようとする課題】
【０００６】
本考案は、上記問題点に鑑みて為されたものであり、組立てる部品の数が少なく、また、組立が容易なため、購入者が自分で容易に且つしっかりと組立てることができるのみならず、また、製造コストが安く済む組立式収納ボックスを提供することを目的とする。
【課題を解決するための手段】
【０００７】
上記課題を解決するために、本考案の組立式収納ボックスは、
底板部材と、
該底板部材の両側部に起伏自在に取付けられる一対の側板部材と、
該底板部材の後端部に起伏自在に取付けられる背板部材と、
該一対の側板部材及び該背板部材が起立せしめられた状態で、該背板部材に相対向するように該一対の側板部材の前端部に嵌着自在に取付けられる正面板部材と、
を含む合成樹脂製引き出し型収納容器を複数個積上げて構成される収納容器積上げ体と、
前記収納容器積上げ体の開口上部を閉塞せしめるための上蓋部材と、
を含むことを特徴とする。
【０００８】
また、前記一対の側板部材の後端部と前記背板部材の両側部とが、取付け補助部材を介して取付けられることで、前記一対の側板部材及び背板部材とが起立状態とされる構成とするのが好適である。
【０００９】
前記取付け補助部材を介して取付けられる構成としては、例えば、嵌着補助部材によって前記一対の側板部材の後端部と前記背板部材の両側部とが嵌着せしめられる構成とすることができる。
【００１０】
また、前記取付け補助部材を介して取付けられる構成としては、例えば、取付けピンを用いて前記底板部材と前記一対の側板部材とを係合せしめる構成とすることもできる。
【００１１】
合成樹脂製引き出し型収納容器を複数個積上げて構成される収納容器積上げ体とする構成としては、例えば、３個の合成樹脂製引き出し型収納容器を積上げて３段の収納容器積上げ体としてもよいし、５個の合成樹脂製引き出し型収納容器を積上げて５段の収納容器積上げ体としてもよい。合成樹脂製引き出し型収納容器を積上げる数に特別の限定はないことは勿論である。
【考案の効果】
【００１２】
本考案によれば、組立てる部品の数が少なく、また、組立が容易なため、購入者が自分で容易に且つしっかりと組立てることができるのみならず、また、製造コストが安く済む組立式収納ボックスを提供することができるという著大な効果を奏する。
【考案を実施するための最良の形態】
【００１３】
以下に本考案の実施の形態を添付図面に基づいて説明するが、本考案の技術思想から逸脱しない限りこれらの実施の形態について種々の変更又は変形が可能なことは言うまでもない。
【００１４】
図１は、本考案の組立式収納ボックスの組立状態を示す斜視図である。図２は、本考案の組立式収納ボックスの合成樹脂製引き出し型収納容器の一つの実施の形態の分解状態を示す分解斜視図である。図３は、図２の側板部材及び背板部材の取付け状態を示す要部拡大図である。
【００１５】
図４は、図２の正面板部材の取付け状態を示す要部拡大図である。図５は、本考案の組立式収納ボックスのもう一つの実施の形態を示す図であって、側板部材と背板部材の取付け状態を示す要部拡大図である。図６は、本考案の組立式収納ボックスのさらに別の実施の形態を示す図であって、側板部材と背板部材の取付け状態を示す要部拡大図である。
【００１６】
図１、符号１０は本考案の組立式収納ボックスを示す。図１〜図４によく示される如く、組立式収納ボックス１０は、底板部材１６と、該底板部材１６の両側部に起伏自在に取付けられた一対の側板部材１８ａ，１８ｂと、該底板部材１６の後端部に起伏自在に取付けられた背板部材２０と、該一対の側板部材１８ａ，１８ｂ及び該背板部材２０が起立せしめられた状態で該背板部材２０に相対向するように該一対の側板部材１８ａ，１８ｂの前端部に嵌着自在に取付けられた正面板部材２２と、を含む合成樹脂製引き出し型収納容器１２を複数個（図示例では３個）積上げて構成された収納容器積上げ体１３と、収納容器積上げ体１３の開口上部１５を閉塞せしめるための上蓋部材１４と、を含む構成とされている。
【００１７】
また、最下層の合成樹脂製引き出し型収納容器１２の下面隅角には、キャスター部材４４がそれぞれ取付けられており、組立式収納ボックス１０を容易に動かすことができる構成となっている。
【００１８】
符号４６ａ〜４６ｃは、縦フレーム部材を示し、符号４８ａ〜４８ｃは、横フレーム部材を示す。縦フレーム部材４６ａ〜４６ｃはそれぞれ横フレーム部材４８ａ〜４８ｃに嵌着自在に取付けられており、容易に脱着及び分解ができる構成とされている。このようにして、縦フレーム部材４６ａ〜４６ｃを横フレーム部材４８ａ〜４８ｃに嵌着して合成樹脂製引き出し型収納容器１２を支える構造とされている。そして、図１によく示される如く、合成樹脂製引き出し型収納容器１２はそれぞれ引き出し可能とされている。
【００１９】
縦フレーム部材４６ａ〜４６ｃ及び横フレーム部材４８ａ〜４８ｃの材質としては、軽量化の面から合成樹脂が好ましく、また、上蓋部材１４の材質も同様に合成樹脂が好ましい。合成樹脂としては、コストの面から汎用プラスチックなどが好ましい。
【００２０】
次に、合成樹脂製引き出し型収納容器１２の構造を図２〜図４に基づいてさらに詳しく説明する。
【００２１】
図２〜図４において、合成樹脂製引き出し型収納容器１２は、底板部材１６と、該底板部材１６の長手方向両側部に起伏自在に取付けられた一対の側板部材１８ａ，１８ｂと、該底板部材１６の後端部に起伏自在に取付けられた背板部材２０と、該一対の側板部材１８ａ，１８ｂ及び該背板部材２０が起立せしめられた状態で該背板部材２０に相対向するように該一対の側板部材１８ａ，１８ｂの前端部に嵌着自在に取付けられる正面板部材２２と、該一対の側板部材１８ａ，１８ｂの後端部と該背板部材２０の短手方向両側部とを取付けるための取付け補助部材２４ａ，２４ｂとを含む構成とされている。
【００２２】
なお、符号３４ａ，３４ｂは一対の側板部材１８ａ，１８ｂにそれぞれ設けられた縁部材であり、符号３６は、背板部材２０に設けられた縁部材を示す。
【００２３】
取付け補助部材２４ａ，２４ｂは、図３によく示される如く、嵌着補助部材とされており、それぞれ複数のフック状嵌め込み突起２６を有している。また、一対の側板部材１８ａ，１８ｂの後端部にはそれぞれ複数の嵌め込み孔２８が開穿されており、さらに、背板部材２０の短手方向両側部にも複数の嵌め込み孔２８が開穿されている。そして、図３によく示される如く、取付け補助部材２４ａ，２４ｂの複数のフック状嵌め込み突起２６を一対の側板部材１８ａ，１８ｂ及び背板部材２０の複数の嵌め込み孔２８に嵌着することで、一対の側板部材１８ａ，１８ｂ及び背板部材２０とが起立状態とされる。
【００２４】
このようにして、一対の側板部材１８ａ，１８ｂの後端部と該背板部材２０の短手方向両側部とが、取付け補助部材２４ａ，２４ｂを介して取付けられることで、一対の側板部材１８ａ，１８ｂ及び背板部材２０とが起立状態とされる構成とされている。
【００２５】
一方、一対の側板部材１８ａ，１８ｂの前端部には、複数の嵌合突起３０が設けられており、他方、正面板部材２２には、適宜位置に複数の嵌合孔３２が開穿されている。そして、図４によく示される如く、一対の側板部材１８ａ，１８ｂの複数の嵌合突起３０を正面板部材２２の複数の嵌合孔３２に嵌着することで、正面板部材２２が一対の側板部材１８ａ，１８ｂの前端部に取付けられる。
【００２６】
このようにして、正面板部材２２は、一対の側板部材１８ａ，１８ｂ及び該背板部材２０が起立せしめられた状態で該背板部材２０に相対向するように該一対の側板部材１８ａ，１８ｂの前端部に嵌着自在に取付けられる。
【００２７】
図２〜図４の例では、取付け補助部材２４ａ，２４ｂを嵌着補助部材として構成した例を示したが、図５に示すようにして、一対の側板部材１８ａ，１８ｂと背板部材２０とを係合せしめてもよい。
【００２８】
図５において、符号３８は、取付けピンとして構成した取付け補助部材である。図５では、側板部材１８ａの後端部にはそれぞれ複数の係合孔４０が開穿されており、さらに、背板部材２０の短手方向両側部にも複数の係合孔４２ａ，４２ｂが開穿されている。そして、図５によく示される如く、取付けピンとして構成した取付け補助部材３８を側板部材１８ａの複数の係合孔４０及び背板部材２０の複数の係合孔４２ａ，４２ｂに取付けることで、側板部材１８ａ及び背板部材２０とが起立状態となるように係合される。
【００２９】
このようにして、一対の側板部材１８ａ，１８ｂの後端部と該背板部材２０の短手方向両側部とが、取付け補助部材３８を介して取付けられることで、一対の側板部材１８ａ，１８ｂ及び背板部材２０とが起立状態とされる構成とされている。
【００３０】
図５の例では、取付け補助部材３８を、取付けピンとして構成し、一対の側板部材１８ａ，１８ｂと背板部材２０とを係合せしめた例を示したが、さらに、図６に示すようにして、一対の側板部材１８ａ，１８ｂと背板部材２０とを係合せしめてもよい。
【００３１】
図６において、取付け補助部材５０ａは、複数の係合突起５２を有している。また、側板部材１８ａの後端部には複数の鍵穴状係合孔５４が開穿されており、さらに、背板部材２０の短手方向両側部にも複数の鍵穴状係合孔５４が開穿されている。そして、図６によく示される如く、取付け補助部材５０ａの複数の係合突起５２を側板部材１８ａ及び背板部材２０の複数の鍵穴状係合孔５４に挿入し、下方にスライドさせると、複数の係合突起５２が複数の鍵穴状係合孔５４に係合され、ロック状態とされて、係合突起５２が鍵穴状係合孔５４から抜けなくなる。このようにして、側板部材１８ａ及び背板部材２０とが起立状態とされる。一方、分解するときは、鍵穴状係合孔５４に挿入されている係合突起５２を上方に押圧することでロック状態を解除し、側板部材１８ａ及び背板部材２０とを取り外すことができる。
【００３２】
上記のようにして、一対の側板部材１８ａ，１８ｂの後端部と該背板部材２０の短手方向両側部とが、取付け補助部材５０ａを介して取付けられることで、一対の側板部材１８ａ，１８ｂ及び背板部材２０とが起立状態とされる構成とされている。
【００３３】
以上のように、上述した本考案のいずれの形態によっても、組立てる部品の数が少なく、また、組立が容易なため、購入者が組立て作業が苦手な人や不慣れな人、年少者、女性、高齢者などであっても自分で容易に且つしっかりと組立てることができるのみならず、また、製造コストが安く済むのである。
【図面の簡単な説明】
【００３４】
【図１】本考案の組立式収納ボックスの組立状態を示す斜視図。
【図２】本考案の組立式収納ボックスの合成樹脂製引き出し型収納容器の一つの実施の形態の分解状態を示す分解斜視図。
【図３】図２の側板部材及び背板部材の取付け状態を示す要部拡大図。
【図４】図２の正面板部材の取付け状態を示す要部拡大図。
【図５】本考案の組立式収納ボックスのもう一つの実施の形態を示す図であって、側板部材と背板部材の取付け状態を示す要部拡大図。
【図６】本考案の組立式収納ボックスのさらに別の実施の形態を示す図であって、側板部材と背板部材の取付け状態を示す要部拡大図。
【符号の説明】
【００３５】
１０：本考案の組立式収納ボックス、１２：合成樹脂製引き出し型収納容器、１３：収納容器積上げ体、１４：上蓋部材、１５：開口上部、１６：底板部材、１８ａ，１８ｂ：側板部材、２０：背板部材、２２：正面板部材、２４ａ，２４ｂ，３８，５０ａ：取付け補助部材、２６：フック状嵌め込み突起、２８：嵌め込み孔、３０：嵌合突起、３２：嵌合孔、３４ａ，３４ｂ，３６：縁部材、４０：係合孔、４２ａ，４２ｂ：係合孔、４４：キャスター部材、４６ａ−４６ｃ：縦フレーム部材、４８ａ−４８ｃ：横フレーム部材、５２：係合突起、５４：鍵穴状係合孔。
【図１】
0003127793.tif 000003
【図２】
0003127793.tif 000004
【図３】
0003127793.tif 000005
【図４】
0003127793.tif 000006
【図５】
0003127793.tif 000007
【図６】
0003127793.tif 000008